(57)【要約】【課題】  雨水および土や砂あるいはゴミや埃などを良好に通過させつつ、コインやキーあるいは指輪やカードなどが通過して落下することを防止できるデッキ材を提供する。【解決手段】  デッキ材９同士の互いの対抗面に、それぞれ谷形斜面の凹条１０、山形斜面の凸条１１を備える。この凹条１０や凸条１１は、垂直面、斜面、曲面のいずれか一種あるいは任意の組合わせから成り、水平面を有さない構造とする。  このような凹条１０や凸条１１を備えたデッキ材用の成形部材を、通常のデッキ材４に取付けて用いる【選択図】図１
2011043036.tif 000002
【特許請求の範囲】
【請求項１】
互いに離間して隣接するデッキ材の一方および他方の各対向面に凹条および／または凸条を形成したデッキ材であって、
凹条および凸条は水平面を有さず、垂直面、斜面、曲面のいずれか一種あるいは任意の組合わせから成るものであるデッキ材。
【請求項２】
互いに離間して隣接するデッキ材の一方および他方の各対向面に凹条および／または凸条を形成するために取付けるデッキ材用の成形部材であって、
凹条および凸条は水平面を有さず、垂直面、斜面、曲面のいずれか一種あるいは任意の組合わせから成るものであるデッキ材用の成形部材。
【発明の詳細な説明】
【技術分野】
【０００１】  本発明は、テラスやベランダなどに施工するウッドデッキを構築するデッキ材に関するものである。
より詳しくは、長尺状の板材であるデッキ材を平面状に配設して構築するウッドデッキについて、デッキ材同士の隙間からコインやキーあるいは指輪やカードなどが落下することを防止することができるようにしたデッキ材の構造に関するものである。
【背景技術】
【０００２】  主として屋外の床上に施工されるウッドデッキは、木質の風合いや感触の優しさなどが好まれ、近年になり例えばオープンカフェに用いられるなど、その需要が増加している。
図１１は一般的なウッドデッキの構造を示すものであり、床１の上方にボルト２で支持した数本の根太材３に、多数のデッキ材４を直交して架け渡すようにして平面状に並べて配設したものである。デッキ材４同士は、雨水や砂あるいは埃などが通過して落下するように、長手方向の側面部を互いに対向させて離間し、隙間Ｓをもたせて配設している。
根太材３は主に金属製の型鋼であり、デッキ材４は天然あるいは合成の木製である。天然木としてはブラジル産のイペ、オーストラリア産のジャラ、インドネシア産のセランガンバツなどが使用されているが、近年ではＰＥＴ（ポリエチレンテレフタレート）などの合成樹脂と木材粉を混錬して成型した合成木製が多く使われるようになってきている。
このようなウッドデッキにおいては、デッキ材４同士の隙間Ｓからコインやキーあるいは指輪やカードなどが通過して落下することがある。床１から根太材３までの床高さが十分にある場合には人が潜って拾う事も可能であるが、日本では大型建築物の屋上やマンションのテラスあるいはベランダなどに多用されており、いずれも床高さが低いため人が入ることができない場合が多い。そこで、金網５やパンチングプレート６などを隙間Ｓの底部に設置するなどの対策が講じられている。
また、図１２に示すのは、雨水を通過させつつコインやキーあるいは指輪やカードなどが通過して落下することを防止できる構造としたデッキ材７であり、隙間Ｓ内に突出した凸条８によりコインなどが引っ掛かるようにして、その通過を阻止できるようにしたものである。
尚、図１３（ａ）（ｂ）に示すのは、木材の加工において板材を平面的に接合するための「相じゃくり」の例であるが、これは上記のように隙間を有するものではなく互いに密着して接合するためのものであり、構造はやや類似するが全く意味の異なるものである。
【発明の概要】
【発明が解決しようとする課題】
【０００３】  しかしながら、金網５やパンチングプレート６などを隙間Ｓの底部に設置するなどの対策には費用や手間も嵩むほか、経時的に土や砂あるいはゴミや埃が溜まり、ウッドデッキ自体の腐朽につながるという問題があった。
また、デッキ材同士の隙間内に凸条が突出した形状とするデッキ材の構造については、狭い隙間内に突出した状態の凸条に水平部分があるため、やはり土や砂あるいはゴミや埃が水平部分に溜まり、同じくウッドデッキ自体の腐朽につながるという問題があった。【０００４】  本発明は上述のような現状に鑑みて成されたものであり、雨水を通過させる排水機能を有すると共に土や砂あるいはゴミや埃などを良好に通過させつつ、コインやキーあるいは指輪やカードなどが通過して落下することを防止できるデッキ材を提供することを課題とするものである。また、このような構造のデッキ材を利便性良く安価に得ることができるデッキ材用の成形部材を提供する事を課題とするものである。
【課題を解決するための手段】
【０００５】  上記のような課題を解決するために、本発明のデッキ材およびデッキ材用の成形部材は互いに離間して隣接するデッキ材同士の隙間を、互いの対向面に備えた凹条あるいは凸条にて形成するものであり、この凹条や凸条について、水平面を有さない構造とすることを基本とするものである。デッキ材については予めこのような構造とし、また、このような凹条や凸条を備えた構造としたデッキ材用の成形部材を通常のデッキ材に取付けて用いるものである。
【発明の効果】
【０００６】  本発明のデッキ材は、このような構造としたことにより、雨水を通過させる排水機能を有すると共に土や砂あるいはゴミや埃などを良好に通過させつつ、コインやキーあるいは指輪やカードなどが通過して落下することを防止できる。
また、本発明のデッキ材用の成形部材は、通常のデッキ材に取付けることにより、上記のような構造のデッキ材を利便性良く安価に得ることができる。
【図面の簡単な説明】
【０００７】
【図１】  本発明の実施例を示すものであり、デッキ材の断面図である。
【図２】  本発明の他の実施例を示すものであり、デッキ材の断面図である。
【図３】  本発明の他の実施例を示すものであり、デッキ材の断面図である。
【図４】  本発明の他の実施例を示すものであり、デッキ材の断面図である。
【図５】  本発明の他の実施例を示すものであり、デッキ材の断面図である。
【図６】  本発明の他の実施例を示すものであり、デッキ材の断面図である。
【図７】  本発明の他の実施例を示すものであり、デッキ材の断面図である。
【図８】  本発明の他の実施例を示すものであり、デッキ材の断面図である。
【図９】  本発明の他の実施例を示すものであり、デッキ材の断面図である。
【図１０】  本発明の実施例を示すものであり、デッキ材用の成形部材および通常のデッキ材の断面図である。
【図１１】  従来のウッドデッキの一般的な構造を示すものであり、床とデッキ材の断面を含む説明図である。
【図１２】  従来のデッキ材の例を示すものであり、デッキ材の断面図である。
【図１３】  （ａ）（ｂ）はそれぞれ「相じゃくり」の例を示すものであり、板材の断面図である。
【発明を実施するための形態】
【０００８】
【実施例】
【０００９】  本発明の実施例を以下、図面に基づいて説明する。尚、各図において共通する部分には同一の符号を付し重複する説明は省略する。
図１は本発明の実施例を示すものであり、デッキ材９同士の互いの対抗面に、それぞれ谷形斜面の凹条１０、山形斜面の凸条１１を備えたものである。この凹条１０と凸条１１にて形成される隙間Ｓにおいては、その間隔寸法を適度に設定することにより、雨水を通過させつつコインＣなどが通過して落下することを防止できるようになっている。
更に、凹条１０および凸条１１には水平部分がないことから、土や砂あるいはゴミや埃などが溜まることがなく、良好に通過するようになっている。
デッキ材９は凹条１０と凸条１１を両側面部にそれぞれ備えており、同一の形状としたデッキ材９を複数用いてウッドデッキを構成することができる。【００１０】  図２は本発明の他の実施例を示すものであり、デッキ材１２同士の互いの対抗面に、それぞれ谷形斜面の凹条１３、山形斜面の凸条１４を備えたものであるが、図１に示す実施例と異なり、谷形斜面の底部および山形斜面の頂部がデッキ材１２の厚み中心よりもやや上方に位置したものとなっている。
このような構造とすることにより、コインＣなどが隙間Ｓに入り込む寸法を小さくすることができるほか、より小さいコインなどの落下を防止することができる。【００１１】  図３は本発明の他の実施例を示すものであり、デッキ材１５同士の互いの対抗面に、それぞれ曲面状の凹条１６、凸条１７を備えたものである。
このような構造とすることにより、土や砂あるいはゴミや埃などが円滑に通過して落下することができる。【００１２】  図４は本発明の他の実施例を示すものであり、デッキ材１８同士の互いの対抗面に、それぞれ大小の曲面を組合わせた形状の凹条１９、凸条２０を備えたものである。
このような構造とすることにより、確実にコインＣなどの落下を防止しつつ、土や砂あるいはゴミや埃などが円滑に通過して落下することができる。【００１３】  図５は本発明の他の実施例を示すものであり、デッキ材２１同士の互いの対抗面に、それぞれ斜面と垂直面を組合わせた形状の凹条２２、凸条２３を備えたものである。
このような構造とすることにより、確実にコインＣなどの落下を防止しつつ、土や砂あるいはゴミや埃などが円滑に通過して落下することができる。【００１４】  図６は本発明の他の実施例を示すものであり、デッキ材２４同士の互いの対抗面に、それぞれ２つの谷形斜面から成る凹条２５、２つの山型斜面から成る凸条２６を備えたものである。
このような構造とすることにより、確実にコインＣなどの落下を防止しつつ、土や砂あるいはゴミや埃などが円滑に通過して落下することができる。【００１５】  図７は本発明の他の実施例を示すものであり、デッキ材２７同士の互いの対抗面に、それぞれ垂直面と谷形斜面を組合わせた凹条２８、垂直面と山形斜面を組合わせた凸条２９を備えたものである。
このような構造とすることにより、確実にコインＣなどの落下を防止しつつ、土や砂あるいはゴミや埃などが円滑に通過して落下することができるほか、デッキ材２７の端縁部の強度を高めることができる。【００１６】  図８は本発明の他の実施例を示すものであり、デッキ材３０同士の互いの対抗面に、それぞれ垂直面と斜面を組合わせた凹条３１、凸条３２を備えたものである。
このような構造とすることにより、確実にコインＣなどの落下を防止しつつ、土や砂あるいはゴミや埃などが円滑に通過して落下することができるほか、デッキ材２７の端縁部の強度を高めることができる。尚、この実施例の場合、凹条３１、凸条３２は点対称の同一形状であるが、便宜上、凹条、凸条と称して各符号を付し説明することとした。【００１７】  図９は本発明の他の実施例を示すものであり、デッキ材３３とデッキ材３４の互いの対抗面に、それぞれ山形斜面の凸条３５、谷形斜面の凹条３６を備えたものである。デッキ材３３は両側面部に山形斜面の凸条３５を備え、デッキ材３４は両側面部に谷形斜面の凹条３６を備えたものとなっている。
このような構造とすることにより、断面形状を左右対称とすることができ、デッキ材の全体強度を高めることができる。尚、これらのデッキ材３３とデッキ材３４は、交互に配設することによりウッドデッキを構成することができる。【００１８】  図１０は本発明の実施例を示す断面図であり、通常のデッキ材４の両側面部に凹条成形部材３７と凸条成形部材３８をそれぞれ取付けたものである。凹条成形部材３７および凸条成形部材３８は、一方側に谷形斜面の凹条１０あるいは山形斜面の凸条１１をそれぞれ備え、他方側は共に平面となっている長尺状の成形部材である。この平面を通常のデッキ材４の側面部に接着などして取付けることにより、通常のデッキ材４の側面部に凹条あるいは凸条を形成することができるものである。
各成形部材３７、３８の材質については、各種デッキ材と同様とするほか、特に各種樹脂製の押出し成形品とした場合には、製造コストが安価となり更に施工の際にも利便性が良く好適である。
この実施例では、通常のデッキ材４に各成形部材３７、３８をそれぞれ取付けた全体の構造が第１図に示す実施例と同じ構造となるが、これに限らず、各成形部材の形状を適宜設定することにより、全ての実施例に示した構造と同じ構造とすることができる。
このような構造とすることにより、通常のデッキ材４に対し必要に応じて各成形部材３７、３８を取付けて適宜任意に本発明のデッキ材の構造を得ることができる。また、長尺状の各成形部材３７、３８は切断して用いることができ、必要箇所の寸法に応じて適宜任意に施工することができる。【００１９】  これらの実施例に示す各凹条および各凸条は、いずれも垂直面、斜面、曲面のいずれか一種あるいは任意の組合わせから成り水平面を有さないものであるが、これらの例に限らず、そのほかにも様々な形状とした構造とすることが考えられる。要は、水平面を有さずコインなどが引っ掛かる凸条をデッキ材同士の隙間内に設けることを重要な条件として、その形状を垂直面、斜面、曲面により任意適宜に具体化することである。【００２０】  また、本発明におけるデッキ材同士あるいはデッキ材用の成形部材同士の隙間の寸法については、使用する凹条や凸条の形状的特性、および、通過して落下することを防止するコインやキーあるいは指輪やカードなどの大きさや厚さなどを勘案することにより設定するものである。
【産業上の利用可能性】
【００２１】    本発明のデッキ材は、雨水を通過させる排水機能を有すると共に土や砂あるいはゴミや埃などを良好に通過させつつ、コインやキーあるいは指輪やカードなどが通過して落下することを防止できるものであり、安心や安全が高まると共にウッドデッキの利用促進に繋がるものである。特に、競馬場や競輪場などにウッドデッキを施工する場合、大事な馬券や車券などが隙間から落下してしまった場合には扱いに困難を来たすことから、本発明のデッキ材は極めて好適である。
また、本発明のデッキ材用の成形部材は、通常のデッキ材に取付けることにより、上記のような構造のデッキ材を利便性良く安価に得ることができるものである。特に、商業施設等にウンドデッキを施工する場合、コインやキーあるいは指輪やカードなどが通過して落下することを防止すべき箇所は、財布を取り出して支払いなどするレジや自動販売機の周辺、あるいは腰掛けて寛ぐイスやベンチの周りなど、部分的な箇所であることも多く、通常のデッキ材に対し必要に応じて取付けて使用できる本発明のデッキ材用の成形部材は極めて好適である。
【符号の説明】  ８  ・・・  水平面
９、１２、１５、１８、２１、２４、２７、３０、３３、３４  ・・・  デッキ材
１０、１３、１６、１９、２２、２５，２８、３１、３６  ・・・  凹条
１１、１４、１７、２０、２３、２６、２９、３２、３５  ・・・  凸条
３７、３８  ・・・  デッキ材用の成形部材
【図１】
2011043036.tif 000003
【図２】
2011043036.tif 000004
【図３】
2011043036.tif 000005
【図４】
2011043036.tif 000006
【図５】
2011043036.tif 000007
【図６】
2011043036.tif 000008
【図７】
2011043036.tif 000009
【図８】
2011043036.tif 000010
【図９】
2011043036.tif 000011
【図１０】
2011043036.tif 000012
【図１１】
2011043036.tif 000013
【図１２】
2011043036.tif 000014
【図１３】
2011043036.tif 000015